(57)【要約】【課題】録画予約を複数の録画装置に設定する従来の録画予約システムでは、録画装置に録画予約を設定した後、例えば別番組が録画されること等によりハードディスクの空き容量不足が生じた場合、録画が失敗するという課題があった。【解決手段】録画予約制御装置１０１は、ネットワーク１００を介して接続された録画装置１０２〜１０４に対して分散して録画予約を設定する。録画装置１０２は第１の録画開始時刻に番組の録画を開始し、録画装置１０３は、録画装置１０２から通知された情報に基づき、第１の録画開始時刻よりも後の第２の録画開始時刻から続きを録画する。【選択図】  図１
2014096743.tif 000002
【特許請求の範囲】
【請求項１】
番組を録画する第１の録画装置及び第２の録画装置と、前記第１の録画装置及び前記第２の録画装置と接続されるとともに、前記第１の録画装置及び前記第２の録画装置に対して録画予約を設定する録画予約制御装置とを備える録画予約システムであって、
前記録画予約制御装置は、
受け付けた録画予約を前記第１の録画装置及び前記第２の録画装置に対して設定する録画予約設定部を備え、
前記第１の録画装置は、
前記録画予約設定部に設定された前記録画予約に基づき第１の録画開始時刻に番組を録画する第１の番組録画部と、
前記第１の録画開始時刻よりも後の第２の録画開始時刻に関する情報を前記第２の録画装置に通知する録画開始時刻通知部と、を備え、
前記第２の録画装置は、
前記録画開始時刻通知部からの前記通知に基づき、前記番組の録画を開始する時刻か否かを監視する録画開始時刻監視部と、
前記録画開始時刻監視部により前記番組の録画を開始する時刻であると判断されると前記第２の録画開始時刻に前記番組の録画を開始する第２の番組録画部と、を備えることを特徴とする録画予約システム。
【請求項２】
前記録画開始時刻通知部は、前記第１の録画装置が録画可能な残りの時間についての情報を前記第２の録画開始時刻情報として前記第２の録画装置に通知し、
前記録画開始時刻監視部は、前記録画開始時刻通知部からの前記通知に基づき、前記第１の録画装置が録画可能な残りの時間が閾値以下となるか否かを監視し、
前記第２の番組録画部は、前記録画開始時刻監視部により前記第１の録画装置が録画可能な残りの時間が閾値以下と判断された場合に、前記番組の録画を開始することを特徴とする請求項１に記載の録画予約システム。
【請求項３】
前記録画開始時刻通知部は、前記第１の録画装置が録画可能な残りの時間が閾値以下となる時刻を前記第２の録画開始時刻情報として前記第２の録画装置に通知することを特徴とする請求項１に記載の録画予約システム。
【請求項４】
前記閾値は、前記第２の録画装置が、前記第１の録画装置の録画が停止する時刻よりも前に録画を開始するように設定されていることを特徴とする請求項２または３に記載の録画予約システム。
【請求項５】
前記録画開始時刻通知部は、前記第１の録画装置の録画が停止する時刻についての情報を前記第２の録画開始時刻情報として前記第２の録画装置に通知することを特徴とする請求項１に記載の録画予約システム。
【請求項６】
前記録画予約制御装置は、ＵＰｎＰ（Ｕｎｉｖｅｒｓａｌ  Ｐｌｕｇ  ａｎｄ  Ｐｌａｙ）プロトコルを用いて前記第１の録画装置及び前記第２の録画装置との接続を検出することを特徴とすることを特徴とする請求項１乃至５のいずれかに記載の録画予約システム。
【請求項７】
前記録画予約設定部は、前記第２の録画装置に対し前記第１の録画装置のＵＤＮ（Ｕｎｉｑｕｅ  Ｄｅｖｉｃｅ  Ｎａｍｅ）を送信し、
前記第２の録画装置の前記録画開始時刻監視部は、前記ＵＤＮに基づき特定した前記第１の録画装置からの前記通知に基づき前記監視を行うことを特徴とする請求項１乃至６のいずれかに記載の録画予約システム。
【請求項８】
設定された録画予約に基づき第１の録画開始時刻から番組を録画する第１の録画装置と接続された録画装置であって、
前記第１の録画装置から、前記第１の録画開始時刻よりも後の第２の録画開始時刻に関する情報を得て、前記番組の録画を開始する時刻か否かを監視する録画開始時刻監視部と、
前記録画開始時刻監視部により前記番組の録画を開始する時刻であると判断された場合に、前記第２の録画開始時刻から前記番組の録画を開始する番組録画部と、を備えることを特徴とする録画装置。
【発明の詳細な説明】
【技術分野】
【０００１】
本発明は、複数の録画装置に対して録画予約が設定可能な録画予約システム及び録画装置に関するものである。
【背景技術】
【０００２】
近年、録画機能付きのＨＤＤ（Ｈａｒｄ  Ｄｉｓｃ  Ｄｒｉｖｅ）レコーダ、ＢＤ（Ｂｌｕ−ｒａｙ  Ｄｉｓｃ）レコーダ等のデジタル放送受信機（録画装置）がネットワーク機能を有し、他の機器からネットワークを介して録画予約を受け付ける技術が普及してきている。このような録画装置において、ハードディスクの空き容量不足による録画失敗を防止するため、録画する番組の録画時間を分割し、複数の録画装置に対し分散して録画予約を設定する録画予約制御装置が知られている（例えば、特許文献１参照）。
【先行技術文献】
【特許文献】
【０００３】
【特許文献１】特開２０１１−４４８３４号公報
【発明の概要】
【発明が解決しようとする課題】
【０００４】
しかしながら、従来の録画予約制御装置では、録画予約を設定した後、例えば別番組が録画されること等によりハードディスクの空き容量不足が生じた場合、録画が失敗するという課題があった。
【０００５】
本発明は、上述した課題を解決するためになされたものであり、複数の番組録画装置に対して録画予約を設定する場合に、空き容量不足により録画が失敗することを防止できる録画予約システム及び録画装置を提供することを目的とする。
【課題を解決するための手段】
【０００６】
本発明に係る録画予約システムは、番組を録画する第１の録画装置及び第２の録画装置と、前記第１の録画装置及び前記第２の録画装置と接続されるとともに、前記第１の録画装置及び前記第２の録画装置に対して録画予約を設定する録画予約制御装置とを備える録画予約システムであって、前記録画予約制御装置は、受け付けた録画予約を前記第１の録画装置及び前記第２の録画装置に対して設定する録画予約設定部を備え、前記第１の録画装置は、前記録画予約設定部に設定された前記録画予約に基づき第１の録画開始時刻に番組を録画する第１の番組録画部と、前記第１の録画開始時刻よりも後の第２の録画開始時刻に関する情報を前記第２の録画装置に通知する録画開始時刻通知部と、を備え、前記第２の録画装置は、前記録画開始時刻通知部からの前記通知に基づき、前記番組の録画を開始する時刻か否かを監視する録画開始時刻監視部と、前記録画開始時刻監視部により前記番組の録画を開始する時刻であると判断されると前記第２の録画開始時刻に前記番組の録画を開始する第２の番組録画部と、を備えることを特徴とする。
【０００７】
本発明に係る録画装置は、設定された録画予約に基づき第１の録画開始時刻から番組を録画する第１の録画装置と接続された録画装置であって、前記第１の録画装置から、前記第１の録画開始時刻よりも後の第２の録画開始時刻に関する情報を得て、前記番組の録画を開始する時刻か否かを監視する録画開始時刻監視部と、前記録画開始時刻監視部により前記番組の録画を開始する時刻であると判断された場合に、前記第２の録画開始時刻から前記番組の録画を開始する番組録画部と、を備えることを特徴とする。
【発明の効果】
【０００８】
本発明の録画予約システム及び録画装置によれば、第１の録画装置が第１の録画開始時刻から録画を開始し、第２の録画装置が、第１の録画装置から通知された情報に基づき、第１の録画開始時刻よりも後の第２の録画開始時刻から続きを録画するので、空き容量不足により録画が失敗することを防止することが可能となる。
【図面の簡単な説明】
【０００９】
【図１】実施の形態１に係る録画予約システムの構成例を示す図である。
【図２】実施の形態１に係る録画予約制御装置１０１の構成例を示す図である。
【図３】実施の形態１に係る録画装置１０２の構成例を示す図である。
【図４】実施の形態１に係る録画予約の設定処理についての動作例を示すフローチャートである。
【図５】実施の形態１に係る録画予約の設定処理についての装置間のやりとりを示す図である。
【図６】実施の形態１に係る録画処理についての動作例を示すフローチャートである。
【図７】実施の形態１に係る録画処理についての装置間のやりとりを示す図である。
【発明を実施するための形態】
【００１０】
実施の形態１．
以下図面を用いて本発明の実施の形態１を説明する。
【００１１】
図１は実施の形態１に係る録画予約システムの構成例を示す図である。録画管理システムは、録画予約制御装置１０１が、ネットワーク１００を介して複数の録画装置１０２、１０３、１０４と接続されることにより構成される。なお、ここでは番組録画装置が３台として説明を行うが、２台以上であればよく、この台数に限定するものではない。
【００１２】
録画予約制御装置１０１は、ＴＶ等のデジタル放送受信機により実現され、接続される複数の録画装置１０２〜１０４に対し、ユーザにより選択された番組を録画するよう、分散して録画予約を設定する。ここでいう番組は、番組全体のみに限らず、編成チャンネルの所望の時間帯（録画開始時刻〜録画終了時刻）を録画するような場合も含む。以降も同様である。また、番組には、放送番組に限らず、インターネットにより入手できる動画コンテンツ、音楽等も含まれる。なお、録画予約制御装置１０１は、デジタル放送を受信して電子番組表（ＥＰＧ：Ｅｌｅｃｔｒｏｎｉｃ  Ｐｒｏｇｒａｍ  Ｇｕｉｄｅ）を得ることも可能である。
【００１３】
録画装置１０２〜１０４は、ＨＤＤレコーダまたはＢＤレコーダ等のデジタル放送受信機により実現され、録画予約制御装置１０１により設定された録画予約に基づき番組を録画する。録画予約制御装置１０１と、録画装置１０２〜１０４とは、互いにＵＰｎＰ（Ｕｎｉｖｅｒｓａｌ  Ｐｌｕｇ  ａｎｄ  Ｐｌａｙ）プロトコルを用いて通信され、録画予約制御装置１０１はコントロールポイント、録画装置１０２〜１０４はＵＰｎＰデバイスとして実装される。ただし、ＵＰｎＰプロトコルに限定されるわけではなく、装置間を検出する機能、他の装置に実装されている機能を呼び出す機能、および、装置内で生じた状態変化を他の装置へ通知する機能を実現することができるプロトコルであれば何でもよい。
【００１４】
まず、録画予約制御装置１０１について詳細を説明する。図２は実施の形態１に係る録画予約制御装置１０１の構成例を示す図である。録画予約制御装置１０１は、アンテナ２０１と、リモコン受信部２０２と、デジタル放送受信部２０３と、音声出力部２０４と、映像出力部２０５と、録画予約選択部２０６と、録画予約設定部２０７と、を備える。
【００１５】
アンテナ２０１は、地上デジタル放送ではＵＨＦ（Ｕｌｔｒａ  Ｈｉｇｈ  Ｆｒｅｑｕｅｎｃｙ）アンテナ、ＢＳ（Ｂｒｏａｄｃａｓｔ  Ｓａｔｅｌｌｉｔｅ）デジタル放送または東経１１０度ＣＳ（Ｃｏｍｍｕｎｉｃａｔｉｏｎ  Ｓａｔｅｌｌｉｔｅ）デジタル放送では、放送衛星または通信衛星からの電波を受信可能なパラボラアンテナにより実現される。
【００１６】
リモコン受信部２０２は、ユーザによるリモコン操作の指示を受信する。
【００１７】
デジタル放送受信部２０３は、一般的なデジタル放送受信機としての主要な機能を担っており、ユーザによる選局操作に従って制御され、アンテナ２０１で受信した電波からデジタル放送ストリームを取り出すチューナ、デジタル放送ストリームがスクランブル（暗号化）されている場合にスクランブルを解除するデスクランブラ、デジタル放送ストリームに多重化されている映像ストリーム、音声ストリーム、および、放送される番組の番組情報一覧およびそれら番組を選局するために必要な選局情報を含む番組配列情報を分離するデマルチプレクサ、映像ストリームや音声ストリームをそれぞれデコードして映像データと音声データを出力するデコーダから構成される。番組配列情報には、例えば、選局可能な編成チャンネルの一覧や、各編成チャンネル内で放送される番組の付随情報として番組の開始時刻や長さ、番組名、出演者、ジャンルが含まれている。
【００１８】
なお、今日のデジタル放送では、デジタル放送ストリームはＭＰＥＧ−２ ＴＳ（ＩＳＯ/ＩＥＣ １３８１８−１）形式、映像ストリームはＭＰＥＧ−２ビデオ（ＩＳＯ/ＩＥＣ １３８１８−２）形式、音声ストリームはＭＰＥＧ−２ ＡＡＣ（ＩＳＯ/ＩＥＣ １３８１８−７）形式やドルビーデジタル形式（ＡＣ−３）が採用されているが、本発明はこれら形式に依存するものではなく、デジタル放送ストリームはＭＰＥＧ−４（ＩＳＯ/ＩＥＣ １４４９６−１）に従って映像ストリームと音声ストリームを多重化したものであってもよく、映像ストリームはＭＰＥＧ−４（ＩＳＯ/ＩＥＣ １４４９６−２もしくはＩＳＯ/ＩＥＣ １４４９６−１０）、音声ストリームはＭＰＥＧ−４ ＡＡＣ（ＩＳＯ/ＩＥＣ １４４９６−３）形式であってもよい。
【００１９】
音声出力部２０４および映像出力部２０５は、デジタルデータである映像データや音声データを映像や音声に変換し、アナログへ変換するＤＡ（Ｄｉｇｉｔａｌ  ｔｏ  Ａｎａｌｏｇ）コンバータを少なくとも含み、内蔵の液晶画面およびスピーカーがこれに相当する。またはＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）を介して接続される液晶モニタおよびスピーカーであっても良い。音声出力部２０４および映像出力部２０５は、デジタル放送受信部２０３から出力される映像データおよび音声データから映像および音声を生成する。
【００２０】
録画予約選択部２０６は、デジタル放送受信部２０３から番組配列情報が入力され、その中から、リモコン受信部２０２を介したユーザの選択指示に基づき、録画予約する番組を選択する。なお、ユーザとしては、番組配列情報から生成された電子番組表ガイドから、グラフィカルユーザインタフェースを介して録画予約したい番組を、リモコンを用いて選択することとなる。
【００２１】
録画予約設定部２０７は、録画予約選択部２０６において選択された番組についての録画予約を、複数の分散予約録画装置１０２〜１０４に対して分散して設定する。
【００２２】
詳細は後述するが、録画予約設定部２０７により設定された録画予約に基づき、第１の録画装置である録画装置１０２が、番組開始時刻または番組開始時刻の少し前の時刻（第１の録画開始時刻）になると番組の録画を開始する。次に、録画装置１０２に通知された、第１の録画開始時刻よりも後の第２の録画開始時刻になると、第２の録画装置である録画装置１０３が録画を開始する。同様に、録画装置１０３に通知された、第２の録画開始時刻よりも後の第３の録画開始時刻になると、第３の録画装置である録画装置１０４が録画を開始する。このように、各録画装置が次の録画装置へ録画をバトンタッチすることにより、録画の空き容量不足により録画が失敗することを防止できる。
【００２３】
録画を実行する録画装置の順番については、録画予約設定部２０７が録画予約の設定時に決定する。録画予約設定部２０７は、１番目に録画を行う録画装置１０２に対しては、録画予約のみを設定する。２番目に録画を行う録画装置１０３に対しては、録画予約設定に、１つ前に録画を行う録画装置（ここでは録画装置１０２）の識別情報ＵＤＮ（Ｕｎｉｑｕｅ  Ｄｅｖｉｃｅ  Ｎａｍｅ）がパラメータとして含まれる。３番目に録画を行う録画装置１０４に対しては、録画予約設定に、録画装置１０３のＵＤＮがパラメータとして含まれる。ここでは、１例として録画装置１０２が１番目、録画装置１０３が２番目、録画装置１０４が３番目としたが、以降も同様の順番で録画されるとして説明を行う。録画装置１０２が自装置のみで録画予約に基づく番組を録画可能な場合については、録画装置１０３、１０４は当該番組の録画は行わない。同様に、録画装置１０２及び１０３で録画予約に基づく番組を録画可能な場合は、録画装置１０４は当該番組の録画を行わない。
【００２４】
なお、録画予約の設定対象となる録画装置１０２〜１０４の決定方法としては、例えば録画予約制御装置１０１の機器設定としてユーザが予め登録しておいた録画装置を対象としてよい。また、録画予約制御装置１０１がＵＰｎＰプロトコルを使用し、ネットワーク１００を介して接続されている録画装置１０２〜１０４を予め検出しておき、検出した録画装置１０２〜１０４を対象としてもよい。ただし、録画予約設定部２０７は、検出した録画装置１０２〜１０４全てを録画予約の設定対象としなくてもよい。
【００２５】
ここで、ＵＰｎＰプロトコルを用いて録画装置１０２〜１０４を検出する方法について説明する。録画予約設定部２０７は、ＵＰｎＰプロトコルのコントロールポイントの機能を持ち、ＵＰｎＰプロトコルの下位のプロトコルであるＳＳＤＰ（Ｓｉｍｐｌｅ  Ｓｅｒｖｉｃｅ  Ｄｉｓｃｏｖｅｒｙ  Ｐｒｏｔｏｃｏｌ）プロトコルを使用し、録画装置１０２〜１０４がマルチキャスト送信するＳＳＤＰ ＮＯＴＩＦＹパケットを受信するか、またはＳＳＤＰ Ｍ−ＳＥＡＲＣＨパケットをマルチキャストしてそれに対する録画装置１０２〜１０４からの応答パケットを受信することで、録画装置１０２〜１０４がネットワーク１００を介して接続されていることを検出する。
【００２６】
録画装置１０２〜１０４は、自身の付随情報を記載したデバイスディスクリプションドキュメントをＨＴＴＰ（ＨｙｐｅｒＴｅｘｔ  Ｔｒａｎｓｆｅｒ  Ｐｒｏｔｏｃｏｌ）により配信しており、さらに録画装置１０２〜１０４から送信されるＳＳＤＰ ＮＯＴＩＦＹパケット、またはＳＳＤＰ Ｍ−ＳＥＡＲＣＨパケットに対する応答パケットには、そのデバイスディスクリプションドキュメントのＵＲＬ（Ｕｎｉｆｏｒｍ  Ｒｅｓｏｕｒｃｅ  Ｌｏｃａｔｏｒ）が記載されている。録画予約設定部２０７は、デバイスディスクリプションドキュメントのＵＲＬを使用して、ＨＴＴＰにより各録画装置１０２〜１０４からデバイスディスクリプションドキュメントをダウンロードし、その内容をリスト管理する。このリスト管理された録画装置を、録画予約設定の対象とする。
【００２７】
次に、録画装置１０２〜１０４について詳細を説明する。図３は実施の形態１に係る録画装置１０２の構成例を示す図である。ここでは代表して録画装置１０２の構成について説明するが、録画装置１０３、１０４も同様の構成である。録画装置１０２は、アンテナ２０１と、音声出力部２０４と、映像出力部２０５と、デジタル放送録画部（番組録画部）３０１と、蓄積部３０２と、録画予約受付部３０３と、録画開始時刻通知部３０４と、録画開始時刻監視部３０５と、を備える。なお、アンテナ２０１と、音声出力部２０４と、映像出力部２０５は、録画予約制御装置１０１で説明した構成に相当するので、図２と同一の符号を付してその説明を省略する。
【００２８】
デジタル放送録画部３０１は、録画予約設定部２０７に設定された録画予約に基づき、録画予約の対象となる番組を録画する。デジタル放送録画部３０１は、アンテナ２０１で受信した電波から、録画すべき編成チャンネルのデジタル放送ストリームを取り出すチューナ、デジタル放送ストリームがスクランブルされている場合にスクランブルを解除するデスクランブラを有し、蓄積部３０２にデジタル放送ストリームを記録することで録画できる。
【００２９】
また、デジタル放送録画部３０１は、デジタル放送ストリームに多重化されている映像ストリーム、音声ストリーム、および番組配列情報を分離するデマルチプレクサ、映像ストリームや音声ストリームをそれぞれデコードして映像データと音声データを出力するデコーダを有し、蓄積部３０２に録画したデジタル放送ストリームを再生する。その際、映像データと音声データはそれぞれ映像出力機能２０４と音声出力機能２０５へ出力される。
【００３０】
蓄積部３０２は、ハードディスク、ブルーレイディスクのような光記憶媒体、ＮＡＮＤ型フラッシュメモリなどの不揮発性記憶素子を使った記憶媒体を持ち、データの書き込み及び読み取りが可能である。
【００３１】
録画予約受付部３０３は、録画予約制御装置１０１の録画予約設定部２０７からの録画予約の設定を受け付ける。また、録画予約受付部３０３は、録画予約設定に含まれるＵＤＮの情報を録画開始時刻監視部３０４に出力する。録画予約受付部３０３は、ＵＰｎＰプロトコルのアクションとして録画予約の機能を提供し、録画予約設定部２０７からの録画予約の設定は、ＵＰｎＰプロトコルのアクションとして実装された録画予約アクションの呼び出しにより実現される。ＵＤＮは、録画予約アクションのパラメータとなる。
【００３２】
録画開始時刻通知部３０４は、他の録画装置に対して、自装置が録画を開始する時刻よりも後の録画開始時刻を通知する。例えば、録画装置１０２の録画開始時刻通知部３０４であれば、録画装置１０３に対して、第１の録画開始時刻よりも後の第２の録画開始時刻の情報を通知する。録画開始時刻の情報としては、例えば自装置が録画可能な残りの時間（録画持続時間）についての情報、または、自装置の録画が停止する時刻についての情報等が該当する。以下の説明では、録画開始時刻通知部３０４は、録画開始時刻の情報として、録画可能持続時間を他の録画装置に通知するものとして説明を行う。
【００３３】
録画開始時刻監視部３０５は、録画開始時刻通知部３０４から通知された情報に基づき、番組の録画を開始する時刻か否かを監視する。録画開始時刻監視部３０５は、番組の録画を開始する時刻であると判断すると、デジタル放送録画部３０１に対して、録画処理を開始するよう指示する。
【００３４】
また、録画開始時刻監視部３０５は、録画開始時刻の情報として、前に録画を実施している録画装置の録画持続時間が通知されると、その録画持続時間が閾値以下であるか否か監視し、閾値以下と判断した場合に、デジタル放送録画部３０１に対して録画処理を開始するよう指示する。録画装置１０３の録画開始時刻監視部３０５は、録画予約受付部３０３が受け付けた録画予約設定に含まれるＵＤＮにより識別される録画装置１０２のＵＰｎＰサービスに対してサブスクリプションの登録を行い、その状態変数である録画持続時間の変化の際に通知を受けられるようにしておく。こうすることにより、録画装置１０３の録画開始時刻監視部３０５は、録画装置１０２の録画持続時間を把握することができる。
【００３５】
なお、最初に録画を開始する録画装置１０２には、受け付ける録画予約設定にＵＤＮが含まれず、録画持続時間の監視も不要であるので、録画開始時刻監視部３０５を備えなくてもよい。
【００３６】
次に、録画予約の設定処理についての動作を説明する。図４は実施の形態１に係る録画予約の設定処理についての動作例を示すフローチャートである。図５は実施の形態１に係る録画予約の設定処理についての装置間のやりとりを示す図である。
【００３７】
まず、ユーザにより録画予約の対象となる番組（以降、番組Ａとする。）が選択されると（ステップＳ４０１）、録画予約制御装置１０１の録画予約設定部２０７は、録画装置１０２〜１０４に対して録画予約を設定する（ステップＳ４０２）。この際、録画装置１０３への録画予約設定には録画装置１０２の識別情報であるＵＤＮが含まれ、録画装置１０４への録画予約設定には録画装置１０３の識別情報であるＵＤＮが含まれる。
【００３８】
録画装置１０２〜１０４が録画予約の設定受け付けると（ステップＳ４０３）、最初に録画を開始する録画装置１０２は、特に指示を受けない限り、第１の録画開始時刻までは動作しない。録画装置１０３は、録画予約設定に含まれるＵＤＮに基づいて、録画装置１０２を自装置よりも前に録画を行う録画装置であると特定し、録画装置１０２に対してサブスクリプションの登録を行う（ステップＳ４０４）。同様に、録画装置１０４は、録画予約設定に含まれるＵＤＮに基づいて、録画装置１０３を自装置よりも前に録画を行う録画装置であると特定し、録画装置１０３に対してサブスクリプションの登録を行う。
【００３９】
次に、録画処理についての動作を説明する。図６は実施の形態１に係る録画処理についての動作例を示すフローチャートである。図７は実施の形態１に係る録画処理についての装置間のやりとりを示す図である。
【００４０】
第１の録画開始時刻になると（ステップＳ６０１−Ｙｅｓ）、まず、第１の録画装置である録画装置１０２が番組Ａの録画を開始する（ステップＳ６０２）。
【００４１】
録画装置１０２の録画開始時刻通知部３０４は、録画の開始後、自身の録画持続時間を、第２の録画装置である録画装置１０３に通知する（ステップＳ６０３）。録画装置１０３の録画開始時刻監視部３０５は、通知された録画持続時間が閾値以下であるか否かを監視する。
【００４２】
録画装置１０２から録画装置１０３への録画持続時間の通知は継続的に行われ、録画装置１０３の録画開始時刻監視部３０５は、録画持続時間が閾値以下であるか否かを監視する。図７の例では、録画装置１０２は録画装置１０３に４回の通知（通知１、通知２、通知３、通知４）を送ることとするが、これに限定されない。ここで、録画装置１０２の録画の空き容量、つまり蓄積部３０２に蓄積されている番組データ量が変動した場合、録画装１０２の録画開始時刻通知部３０４は、変動後の録画できる空き容量に基づいて録画持続時間を求め、録画装置１０２の録画開始時刻監視部３０５に通知する。録画できる空き容量は、例えば、既に録画されている番組のデータが削除された場合、録画装置が複数番組同時録画対応でさらに別の番組が録画された場合等に、変動する。図７において、例えば通知１と通知２の間に録画装置１０２の録画できる空き容量が変動した場合、通知１と通知２で知らせる録画持続時間は異なる。言い換えると、通知１と通知２の間に録画装置１０２の録画できる空き容量が変動した場合、通知１と通知２とで伝える第１の録画開始時刻が変化するということになる。
【００４３】
図６に戻って、録画装置１０２により番組Ａの録画が終了した場合（ステップＳ６０４−Ｙｅｓ）、録画処理が終了する。この場合、録画装置１０２のみで番組Ａが録画された、つまり、録画装置１０２は番組Ａを録画するに足りる空き容量を有していたので、録画装置１０３及び録画装置１０４には、番組Ａが録画されない。
【００４４】
録画装置１０２により番組Ａの録画が終了せず（ステップＳ６０４−Ｎｏ）、録画装置１０３の録画開始時刻監視部３０５により、録画持続時間が閾値以下であると判断された場合（ステップＳ６０５−Ｙｅｓ）、録画装置１０３の録画開始時刻監視部３０５はデジタル放送録画部３０１に録画指示を送り、デジタル放送録画部３０１は、第２の録画開始時刻に番組Ａの録画を開始する（ステップＳ６０６）。ここで、第２の録画開始時刻は、録画持続時間が閾値以下となる時刻である。なお、録画開始時刻監視部３０５により録画持続時間が閾値以下でないと判断された場合は（ステップＳ６０５−Ｎｏ）、再びステップＳ６０３の処理に戻る。
【００４５】
録画装置１０３の録画開始時刻監視部３０５が用いる閾値は、第２の録画開始時刻が、録画装置１０２が録画を停止する時刻よりも前となるように設定されるのが好ましい。そうすることにより、録画装置１０３が録画処理の準備を開始してから実際に録画処理を実施するまでに生じる時間遅延を防止することが可能となる。時間遅延を防止することにより、ユーザは、録画予約した番組について、録画されていない箇所（空白）なく、番組全体を見ることができる。
【００４６】
録画装置１０３により番組Ａの録画が終了すると（ステップＳ６０７）、録画処理が終了する。この場合、録画装置１０２及び録画装置１０３により番組Ａが録画され、録画装置１０４は番組Ａを録画しない。なお、図６では説明を省略しているが、図７に示すように、録画装置１０３の録画開始時刻通知部３０４は、番組Ａの録画中、録画持続時間を通知し、録画装置１０４の録画開始時刻監視部３０５は、通知された録画持続時間が閾値以下であるか否かを監視する。録画装置１０２と録画装置１０３では番組Ａを全て録画することができない場合、録画装置１０４の録画開始時刻監視部３０５は、録画持続時間が閾値以下であると判断した時刻である第３の録画開始時刻になると、番組Ａの録画を開始する。
【００４７】
なお、録画装置１０４の録画開始時刻監視部３０５が用いる閾値についても、録画装置１０３で説明した閾値と同様、第２の録画開始時刻が、録画装置１０２が録画を停止する時刻よりも前となるように設定されるのが好ましい。録画装置１０３で用いられる閾値と同一の値でなくてもよい。
【００４８】
以上のように、本発明の実施の形態１によれば、録画予約された番組に対して、録画装置１０２が第１の録画開始時刻になると録画を開始し、録画装置１０３が、第１の録画装置１０２から通知された第２の録画開始時刻になると番組の続きを録画する。この際、録画装置の録画できる空き容量が録画途中で変動した場合は、録画装置１０３に対して通知する第２の録画開始時刻も変動するので、録画装置の空き容量不足により録画が失敗することを防止することが可能となる。
【００４９】
例えば、録画装置１０２が番組Ａの録画途中で別番組についても録画を開始した場合、録画装置１０２の録画できる空き容量が減少するので、録画装置１０２は、録画装置１０２に対して、別番組の録画がなされるよりも前に通知していた時刻よりも早めた第２の録画開始時刻を通知する。そうすると、録画装置１０３は前に通知されていた時刻よりも早く番組Ａの録画を開始するので、録画装置１０２の録画できる空き容量が不足して録画が失敗することを防止できる。
【００５０】
また、録画装置１０２が第２の録画開始時刻の情報として、自装置の録画持続時間を録画装置１０３に通知する場合は、録画装置１０３が録画持続時間が閾値以下となっているか否かを監視し、閾値以下になると判断した時刻である第２の録画開始時刻に録画を開始する。この際の閾値は、第２の録画開始時刻が、録画装置１０２が録画を停止する時刻よりも前となるように設定されるので、録画装置１０３が録画処理の準備を開始してから実際に録画処理を実施するまでに生じる時間遅延を防止することが可能となる。時間遅延を防止することにより、ユーザは、録画予約した番組について、録画されていない箇所（空白）なく、番組全体を見ることができる。
【００５１】
なお、これまで録画装置１０３が、録画装置１０２の録画持続時間が閾値以下になるか否かを監視することとしていたが、これに限らない。例えば、録画装置１０２が自身の録画持続時間が閾値以下になるか否かを監視し、閾値以下になると判断した時刻を第２の録画開始時刻として録画装置１０３に通知することとしてもよい。
【符号の説明】
【００５２】
１００  ネットワーク、１０１  録画予約制御装置、１０２〜１０４  録画装置、２０１  アンテナ、２０２  リモコン受信部、２０３  デジタル放送受信部、２０４  音声出力部、２０５  映像出力部、２０６  録画予約選択部、２０７  録画予約設定部、３０１  デジタル放送録画部、３０２  蓄積部、３０３  録画予約受付部、３０４  録画開始時刻通知部、３０５  録画開始時刻監視部
【図１】
2014096743.tif 000003
【図２】
2014096743.tif 000004
【図３】
2014096743.tif 000005
【図４】
2014096743.tif 000006
【図５】
2014096743.tif 000007
【図６】
2014096743.tif 000008
【図７】
2014096743.tif 000009